(57)【要約】【課題】皮膚における髭の様子を映像として取得して外部の映像表示装置へ送信することができ、使用者が送信された映像を確認しながら髭剃りを行うことによって剃り残しを防止することができる電気かみそりを提供する。【解決手段】本発明に係る往復式電気かみそり１は、複数の髭進入口が形成された外刃４２と、前記外刃の下面に摺接しながら往復駆動もしくは回転駆動される内刃２２とを有するヘッド部３が本体部２に保持された電気かみそりであって、使用者の皮膚における髭の様子を映像として取得するカメラ５０と、前記映像を外部の映像表示装置へ送信可能な通信手段と、を備える。【選択図】図１
2016097163.tif 000002
【特許請求の範囲】
【請求項１】
複数の髭進入口が形成された外刃と、前記外刃の下面に摺接しながら往復駆動もしくは回転駆動される内刃とを有するヘッド部が本体部に保持された電気かみそりであって、
使用者の皮膚における髭の様子を映像として取得するカメラと、
前記映像を外部の映像表示装置へ送信可能な通信手段と、を備えること
を特徴とする電気かみそり。
【請求項２】
使用者の皮膚を照らす照明手段をさらに備えること
を特徴とする請求項１記載の電気かみそり。
【請求項３】
前記カメラは、前記本体部もしくは前記ヘッド部において引出し・収納可能となるように配設されていること
を特徴とする請求項１または請求項２記載の電気かみそり。
【請求項４】
前記カメラが前記引出しを行った位置となったときに、該カメラが起動される起動スイッチが設けられていること
を特徴とする請求項３記載の電気かみそり。
【請求項５】
前記カメラのレンズ部を開閉可能とするキャップ部を有すること
を特徴とする請求項１または請求項２記載の電気かみそり。
【請求項６】
前記キャップ部が開位置となったときに、前記カメラが起動される起動スイッチが設けられていること
を特徴とする請求項５記載の電気かみそり。
【請求項７】
請求項１〜６のいずれか一項記載の電気かみそりと、該電気かみそりの前記通信手段によって送信された前記映像を表示させる映像表示装置と、を備えること
を特徴とする髭剃りシステム。
【請求項８】
前記映像表示装置として、スマートフォン、携帯電話、もしくは携帯情報端末が用いられること
を特徴とする請求項７記載の髭剃りシステム。
【請求項９】
請求項７または請求項８記載の髭剃りシステムに用いられるスタンドにおいて、
前記電気かみそりの充電を行う第１ソケットと、
前記映像表示装置の充電を行う第２ソケットと、を備えること
を特徴とするスタンド。
【請求項１０】
前記通信手段による前記映像の送信は通信ケーブルを用いて行われ、該通信ケーブルが接続される接続ポートをさらに備え、
前記接続ポートおよび前記第２ソケットを中継して前記映像が前記映像表示装置へ送信されること
を特徴とする請求項９記載のスタンド。
【発明の詳細な説明】
【技術分野】
【０００１】
本発明は、複数の髭進入口が形成された外刃と当該外刃に摺接しながら駆動される内刃とを有する電気かみそり、および当該電気かみそりと映像表示装置とを備える髭剃りシステム、ならびに当該髭剃りシステムに用いられるスタンドに関する。
【背景技術】
【０００２】
髭剃りを行う電気かみそりの例として、特許文献１、２に記載されるように、内刃台に支持された断面視逆Ｕ字状の内刃が、外刃の内面に摺接しつつ往復動する往復式電気かみそりが知られている。また、他の例として、特許文献３に記載されるように、環状髭剃り面を上面に有する外刃と、外刃の下面に環状髭剃り面の下方から摺接しつつ回転する内刃とを備えるロータリー式電気かみそりが知られている。
【先行技術文献】
【特許文献】
【０００３】
【特許文献１】特開２０１０−２５２９４１号公報
【特許文献２】特開２０１０−２２７２２２号公報
【特許文献３】特開２０１３−１４１５６６号公報
【発明の概要】
【発明が解決しようとする課題】
【０００４】
往復式電気かみそりおよびロータリー式電気かみそりのいずれにおいても、髭の剃り残しが防止できることが重要な課題となる。
【０００５】
ここで、上記の特許文献２に例示される電気かみそりのように、髭の向きを検出して、その向きに応じて刃保持部の角度調整を行うことによって剃り性能を向上させようと試みた技術もある。
【０００６】
しかしながら、従来の電気かみそりにおいては、髭の剃り残しが有るか否かを確認するためには、使用者が鏡を見ながら目視で行うしかなかったため、特に、肌が見えづらい場合等において剃り残しが生じ易いという課題があった。
【０００７】
本発明は、上記事情に鑑みてなされ、皮膚における髭の様子を映像として取得して外部の映像表示装置へ送信することができ、使用者が送信された映像を確認しながら髭剃りを行うことによって剃り残しを防止することができる電気かみそりを提供することを目的とする。
【課題を解決するための手段】
【０００８】
一実施形態として、以下に開示するような解決手段により、前記課題を解決する。
【０００９】
開示の往復式電気かみそりは、複数の髭進入口が形成された外刃と、前記外刃の下面に摺接しながら往復駆動もしくは回転駆動される内刃とを有するヘッド部が本体部に保持された電気かみそりであって、使用者の皮膚における髭の様子を映像として取得するカメラと、前記映像を外部の映像表示装置へ送信可能な通信手段と、を備えることを要件とする。
【発明の効果】
【００１０】
開示の電気かみそりによれば、使用者の皮膚の髭の様子すなわち髭の長さや、剃り残しの有無等を映像として取得して外部の映像表示装置へ送信することができる。したがって、使用者は、鏡で目視確認する従来の方法に代えて、送信された映像を確認しながら髭剃りを行うことができるため、鏡では見えづらい部位等であっても髭の様子を鮮明に確認することができ、剃り残しを防止することができる。
【図面の簡単な説明】
【００１１】
【図１】本発明の実施形態に係る電気かみそりの例を示す概略図である。
【図２】図１に示す電気かみそりのヘッド部の例を示す概略図（分解図）である。
【図３】本発明の実施形態に係る電気かみそりの変形例を示す概略図である。
【図４】本発明の実施形態に係る髭剃りシステムの例を示す概略図である。
【図５】本発明の実施形態に係るスタンドの例を示す概略図である。
【図６】本発明の実施形態に係る髭剃りシステムの変形例を示す概略図である。
【発明を実施するための形態】
【００１２】
（電気かみそり）
以下、図面を参照して、本発明の実施形態について詳しく説明する。図１は、本実施形態に係る電気かみそり１の例を示す概略図（斜視図）である。ここで、図１（ａ）は、カメラ５０（詳細は後述）を本体部２に収納した状態であり、図１（ｂ）は、カメラ５０を本体部２から引出した状態である。また、図２は、電気かみそり１のヘッド部３の例を示す概略図（分解斜視図）である。なお、実施形態を説明するための全図において、同一の機能を有する部材には同一の符号を付し、その繰り返しの説明は省略する場合がある。
【００１３】
本実施形態に係る電気かみそり１は、図１（ａ）、１（ｂ）、２に示すように、多数の髭進入口が形成された外刃２２と、外刃２２の下面に摺接しつつ往復動する内刃４２とを備えて構成されて、髭進入口に進入した髭を外刃２２と内刃４２とでカットする往復式電気かみそりである。以下、往復式電気かみそりを例に挙げて説明するが、これに限定されるものではなく、ロータリー式電気かみそり等、他の電気かみそりであってもよい。
【００１４】
図１（ａ）、１（ｂ）において符号２は本体部であり、略円柱状のケース１０を備えている。このケース１０の内部には、内刃４２を往復動させるためのモータ（不図示）、当該モータの電源となる電池（不図示）、および当該モータの駆動制御、等を行う制御部４等が収容されている。また、ケース１０の前面には電源スイッチ１１が取り付けられている。
【００１５】
一方、図１（ａ）、１（ｂ）、２において符号３はヘッド部である。一例として、ヘッド部３は本体部２に傾動可能に保持されている。なお、ヘッド部３の本体部２への保持方式は傾動不能の固定式としてもよい。
【００１６】
図２に示すように、ヘッド部３はヘッドカバー１２を備え、当該ヘッドカバー１２には下方から外刃ユニット２４が外刃ケース（不図示）を介して取り付けられる。また、ヘッドカバー１２の内部に内刃ユニット４４、および当該内刃ユニット４４を駆動するギア（不図示）や内刃駆動軸等からなる駆動機構（不図示）が配設される。ここで、外刃ユニット２４は外刃２２が外刃台２３に固定された構成であり、内刃ユニット４４は内刃４２が内刃台４３に固定された構成である。なお、本実施形態は、外刃ユニット２４と内刃ユニット４４との組合せ（すなわち刃ユニット１８）が二組の例であるが、これに限定されず、一組あるいは三組以上であってもよい。
【００１７】
本実施形態に係る外刃２２は、ステンレス鋼等からなる所定厚さの金属板をアーチ状すなわち長手方向に垂直な面による断面視が逆Ｕ字状の形状に湾曲させて、外刃台２３に固定した構成となっている。当該外刃２２のアーチ状湾曲部（すなわち所定の頂上部および周辺部）には髭を導入するための多数の開口（髭進入口）が金属板を貫通して形成されている。
【００１８】
一方、内刃４２は、ステンレス鋼等からなる所定厚さの金属板をアーチ状すなわち長手方向に垂直な面による断面視が逆Ｕ字状の形状に湾曲させて、内刃台４３に固定した構成となっている。図２に示すように内刃４２は、多数のアーチ状の小刃４６が一体に形成されており、内刃４２すなわち各小刃４６のアーチ状の上面（外周面）は前記外刃２２の内面に摺接する曲面となっている。
【００１９】
ここで、図２に示すように、モータの回転軸に固定した偏心ピン（不図示）に係合された振動体１６Ａ、１６Ｂを往復動させると、振動体１６Ａ、１６Ｂにそれぞれ固定された保持部材１４、および当該保持部材１４に固定された内刃台４３を介して内刃４２が往復動する。これにより、内刃４２が外刃２２に摺接移動して、外刃２２の髭進入口に入った髭を外刃２２の下面（内面）と内刃４２（小刃４６）とで挟み込むようにしてカットすることが可能となる。
【００２０】
次に、本実施形態に係る電気かみそり１に特徴的な構成として、使用者の皮膚を撮像する（映像として取得する）、すなわち使用者の皮膚における髭の様子（髭の状態）、を撮像するカメラ５０を備えている。なお、カメラ５０は、ＣＣＤ（Ｃｈａｒｇｅ  
Ｃｏｕｐｌｅｄ  Ｄｅｖｉｃｅｓ）、ＣＭＯＳ（Ｃｏｍｐｌｅｍｅｎｔａｒｙ  
Ｍｅｔａｌ  Ｏｘｉｄｅ  Ｓｅｍｉｃｏｎｄｕｃｔｏｒ）等のいわゆる撮像素子を備える一般的な撮像装置である。これによれば、使用者の皮膚の髭の様子の映像を取得することができるため、当該映像を映像表示装置等に表示させながら髭剃りを行うことによって、従来、鏡では確認しきれなかった肌の見えづらい部位であっても、髭の長さ、髭の生えている向き、髭の剃り残しの有無等が鮮明に確認できる。また、単に表示させるにとどまらず、鏡に映しきれなかった微細な様子を拡大表示させて確認できる。したがって、髭の剃り残し防止効果が格段に向上できる。
【００２１】
一例として、図１（ａ）、１（ｂ）に示すように、カメラ５０は本体部２に設けられる構成としている。ただし、これに限定されるものではなく、ヘッド部３に設けられる構成としてもよい（不図示）。
【００２２】
より具体的には、カメラ５０は本体部２に対して、引出し・収納可能となるように配設されている。一例として、図１（ａ）に示すカメラ５０を収納した状態でプッシュボタン５６を押す動作によって、カメラ５０が外方に飛び出して、図１（ｂ）に示すカメラ５０を引出した状態となる。なお、飛び出す機構は付勢部材（不図示）等を用いて構成すればよい。あるいは、使用者が手で引出すように構成してもよい（不図示）。一方、収納するときは、カメラ５０を直接押し下げて本体部２に収納する構成としている。
【００２３】
本実施形態においては、カメラ５０が本体部２に対して引出しを行った位置となったときに、カメラ５０の電源がオンになる（すなわち、起動されて撮像が開始される）起動スイッチ５８が設けられている。起動スイッチ５８の構成は特に限定されるものではなく、カメラ５０の位置と連動してオン・オフが切り替わる一般的な機械式スイッチあるいは電気式スイッチを用いればよい。なお、カメラ５０が本体部に対して収納を行った位置となったときに、カメラ５０の電源がオフになる。
【００２４】
なお、前述の通り、カメラ５０をヘッド部３において上記例と同様に設ける構成としてもよい（不図示）。
【００２５】
また、カメラ５０の変形例を図４に示す。当該カメラ５０は本体部２のヘッド部３近傍に設けられており、レンズ部５２を開閉可能とするキャップ部６０を有している。図４（ａ）は、キャップ部６０を閉状態としてカメラ５０が露出しないように本体部２に収納した状態であり、図４（ｂ）は、キャップ部６０を開状態としてカメラ５０を本体部２において露出させた状態である。例えば、キャップ部６０は、左右動可能に設けられたスライドスイッチ６２と連動して左右動するように構成されて、開閉動作が行われる。これによって、カメラ５０が本体部に対して、露出・収納可能となるように構成される。一例として、図４（ａ）に示すようにスライドスイッチ６２を所定の一端側にスライドさせる動作によって、キャップ部６０が閉状態となりカメラ５０が収納され、撮像停止の状態となる。一方、図４（ｂ）に示すようにスライドスイッチ６２を所定の他端側にスライドさせる動作によって、キャップ部６０が開状態となりカメラ５０が露出され、撮像可能な状態となる。
【００２６】
この変形例においては、キャップ部６０が開状態となったときに、カメラ５０の電源がオンになる（すなわち、起動されて撮像が開始される）起動スイッチ６４が設けられている。起動スイッチ６４の構成は特に限定されるものではなく、キャップ部６０もしくはスライドスイッチ６２の位置と連動してオン・オフが切り替わる一般的な機械式スイッチあるいは電気式スイッチを用いればよい。なお、キャップ部６０が閉状態となったときに、カメラ５０の電源がオフになる。
【００２７】
なお、前述の通り、カメラ５０をヘッド部３において上記変形例と同様に設ける構成としてもよい（不図示）。
【００２８】
次に、本実施形態においては、カメラ５０のレンズ部５２に隣接させて使用者の皮膚における映像取得部位およびその周辺を照らす照明手段５４が二つ設けられている。一例として、照明手段５４にはＬＥＤランプが用いられる。なお、照明手段５４の設置位置、個数は特に限定されるものではなく、例えば、レンズ部５２の隣接位置ではなく、ヘッド部３の先端部等に設ける構成としてもよい（不図示）。照明手段５４を備える構成によれば、使用者の皮膚の映像取得部位を明るく照らすことができるため、皮膚の髭の様子の映像をより一層鮮明に取得することが可能となる。
【００２９】
さらに、本実施形態に係る電気かみそり１においては、カメラ５０によって取得された映像を外部の映像表示装置へ送信を行う通信手段を備えている。一例として、通信手段は制御部４内の通信回路、および通信配線を備えて構成されて、有線通信によって本体部２から外部の映像表示装置へ送信される。あるいは、他の例として、赤外線通信、
Ｂｌｕｅｔｏｏｔｈ（米国Ｂｌｕｅｔｏｏｔｈ  ＳＩＧ，Ｉｎｃ．登録商標）通信、等の無線通信回路を備えて外部の映像表示装置へ送信を行う構成としてもよい（不図示）。
【００３０】
なお、通信手段は上記の映像の送信だけでなく、例えば、制御部４からカメラ５０への制御信号等を受信可能なように、双方向通信を行う機器構成とすることが考えられる。
【００３１】
（髭剃りシステム）
図４に、本実施形態に係る髭剃りシステム１００の例を示す。本実施形態に係る髭剃りシステム１００は、上記の電気かみそり１と、当該電気かみそり１の通信手段によって送信された使用者の皮膚の映像（髭の映像）を表示させる映像表示装置５とを備えて構成される。
【００３２】
映像表示装置５には、一例として、スマートフォンが用いられる。ただし、これに限定されるものではなく、携帯電話、携帯情報端末等、映像を表示させることが可能な画面を備える機器を用いて同様に適用し得る。
【００３３】
また、前述の通り、カメラ５０によって取得された映像を映像表示装置５へ送信する際には、一例として、本体部２と映像表示装置５とを通信ケーブル（例えば、ＵＳＢケーブル）６により接続して映像（信号）の送信（通信）が行われる。あるいは、他の例として、赤外線通信、Ｂｌｕｅｔｏｏｔｈ（登録商標）通信、等の無線通信手段によって、本体部２と映像表示装置５との間の映像（信号）の送信（通信）を行ってもよい。
【００３４】
これによれば、電気かみそり１のカメラ５０によって取得された使用者の皮膚の髭の様子の映像を映像表示装置５に表示させながら髭剃りを行うことができる。したがって、従来、鏡では確認しきれなかった肌の見えづらい部位であっても、髭の長さ、髭の生えている向き、髭の剃り残しの有無等が鮮明に確認できる。また、単に表示させるにとどまらず、鏡に映しきれなかった微細な様子を拡大表示させて確認できる。したがって、髭の剃り残し防止効果が格段に向上できる。
【００３５】
（スタンド）
図５に、本実施形態に係るスタンド７０の例を示す。本実施形態に係るスタンド７０は、電気かみそり１の充電を行う第１ソケット７２と、映像表示装置５の充電を行う第２ソケット７４とを備えて構成される。第１ソケット７２、第２ソケット７４は、それぞれ、電気かみそり１、映像表示装置５の充電コネクタ部（不図示）と接続可能に構成されており、差し込んで立てた状態で充電が行われる。
【００３６】
これによれば、一つのスタンドで、電気かみそり１および映像表示装置５の両方を充電することができる。したがって、それぞれを個別の充電機器によって充電する場合に比べて、充電機器が一つで済むため、利便性を高めることができると共に、収納場所（充電場所）をすっきりとコンパクトに保つことができる。
【００３７】
さらに、スタンド７０は図５に示すように、電気かみそり１から映像を送信するための通信ケーブルが接続される接続ポート７６を備える構成としてもよい。
【００３８】
このスタンド７０を用いれば、図６に示すように髭剃りシステム１００の変形例を構成することができる。すなわち、電気かみそり１に一端が接続された通信ケーブル６は他端が接続ポート７６に接続される。これにより、電気かみそり１のカメラ５０によって取得された使用者の肌（髭）の映像は、スタンド７０の接続ポート７６に送信され、次いで、接続ポート７６から配線で接続された第２ソケットに送信され、次いで、第２ソケットから映像表示装置５へ送信される。したがって、この場合の第２ソケットは充電およびデータ通信それぞれの機能を有する接続機構を有する。なお、前述の通り、双方向通信が可能なように構成してもよい。
【００３９】
このように構成された髭剃りシステム１００の変形例によれば、スタンド７０に映像表示装置５を差し込んだ状態のまま、電気かみそり１に接続された通信ケーブル６の他端を接続ポート７６に接続し、当該通信ケーブル６、接続ポート７６、および第２ソケットを中継して使用者の肌（髭）の映像を映像表示装置５に表示させながら、髭剃りを行うことができる。したがって、映像表示装置５を手に持たなくて済むため、電気かみそり１を保持する手とは反対側の手を肌に添えて髭剃りを行うことができ、髭の剃り残し防止に効果的である。
【００４０】
以上、説明した通り、本実施形態に係る電気かみそり１によれば、カメラ５０により皮膚の髭の様子の映像を取得することができ、通信手段により当該映像を外部の映像表示装置５に送信することができる。したがって、使用者は、その映像を映像表示装置５等に表示させながら髭剃りを行うことができるため、従来、鏡では確認しきれなかった肌の部位であっても、髭の長さ、髭の生えている向き、髭の剃り残しの有無等が拡大表示で鮮明に確認できる。その結果、髭の剃り残しを確実に防止することが可能となる。
【００４１】
なお、本発明は、以上説明した実施例に限定されることなく、本発明を逸脱しない範囲において種々変更が可能である。特に、刃ユニットを二組有する往復式電気かみそりを例に挙げて説明を行ったが、これに限定されるものではなく、刃ユニットを例えば、三組以上有する往復式電気かみそりにおいても好適に適用することができる。また、往復式電気かみそり以外の電気かみそり、例えば、環状髭剃り面を上面に有する外刃と、外刃の下面に環状髭剃り面の下方から摺接しつつ回転する小刃を持つ内刃とを備えるロータリー式電気かみそりにおいても好適に適用することができる。
【符号の説明】
【００４２】
１  電気かみそり
２  本体部
３  ヘッド部
４  制御部
５  映像表示装置
６  通信ケーブル
１８  刃ユニット
２２  外刃
４２  内刃
５０  カメラ
５２  レンズ部
５４  照明手段
５６  プッシュボタン
５８  起動スイッチ
６０  キャップ部
６２  スライドスイッチ
６４  起動スイッチ
７０  スタンド
７２  第１ソケット
７４  第２ソケット
７６  接続ポート
１００  髭剃りシステム
【図１】
2016097163.tif 000003
【図２】
2016097163.tif 000004
【図３】
2016097163.tif 000005
【図４】
2016097163.tif 000006
【図５】
2016097163.tif 000007
【図６】
2016097163.tif 000008
【手続補正書】
【提出日】平成26年12月2日(2014.12.2)
【手続補正１】
【補正対象書類名】図面
【補正対象項目名】図１
【補正方法】変更
【補正の内容】
【図１】
2016097163.tif 000009
【手続補正２】
【補正対象書類名】図面
【補正対象項目名】図３
【補正方法】変更
【補正の内容】
【図３】
2016097163.tif 000010